(57)【特許請求の範囲】
【請求項１】
注出口を有し、分別取外し用の肉薄の弱化線（２８）を設けた中栓体（１０）の組付き筒（１１）を、壜体（１）の口筒（２）外周にアンダーカット結合により組付けると共に、該中栓体（１０）に外キャップ（３０）を螺合組付けして構成される容器であって、前記壜体（１）の口筒（２）の内周面下部と、前記組付き筒（１１）の内方に垂下設され、口筒（２）に略密に嵌入する嵌入筒（２１）の外周面下部との間に、前記中栓体（１０）の共回り防止用の係止部（５）を設けて成る分別キャップ付き容器。
【請求項２】
共回り防止用の係止部（５）を、口筒（２）の内周面下部に突設された係止片（６）と、嵌入筒（２１）の外周面下部に形成され、前記係止片（６）が係止可能な係止溝（２２）と、から構成した請求項１記載の分別キャップ付き容器。
【請求項３】
共回り防止用の係止部（５）を、嵌入筒（２１）の外周面に食込むべく、口筒（２）の内周面下部に突設された複数の先鋭状の係止突片（６ａ）により構成した請求項１記載の分別キャップ付き容器。
【発明の詳細な説明】
【０００１】
【発明の属する技術分野】
本発明は、壜体口筒に組付けた分別取外し可能な中栓体に、外キャップを螺合組付けして構成した分別キャップ付き容器に関するものである。
【０００２】
【従来の技術】
液状食品等の容器として、注出口を有する中栓体を壜体口筒にアンダーカット結合により組付け、この中栓体に外キャップを螺合組付けして構成したものが広く使用されている。
【０００３】
また、近年、廃棄物の分別回収の見地から、上記中栓体に、破断可能な肉薄溝状の弱化線や肉薄部を予め形成し、廃棄時において、この弱化線や肉薄部を破断して、中栓体を壜体から容易に取外しできるようにしたものも使用されている。
【０００４】
【発明が解決しようとする課題】
しかしながら、上記した従来の分別キャップ付き容器にあっては、中栓体に弱化線や肉薄部を設けたことにより、壜体口筒に対する中栓体の組付きが緩み易い傾向にあるため、外キャップを回転させた際に中栓体が共回りしてしまい、外キャップを螺脱開放することが円滑に達成できず、その分、取扱いが面倒となる、と云う問題があった。
【０００５】
そこで、本発明は、上記した従来技術における問題点を解消すべく創案されたもので、分別キャップ付き容器において、外キャップ回転時における中栓体の共回りを防止することを技術的課題とし、もって常に確実に外キャップを螺脱開放できるようにすることを目的とする。
【０００６】
【課題を解決するための手段】
上記技術的課題を解決する本発明の内、請求項１記載の発明の手段は、
注出口を有し、分別取外し用の肉薄の弱化線を設けた中栓体の組付き筒を、壜体の口筒外周にアンダーカット結合により組付けると共に、この中栓体に外キャップを螺合組付けして構成される容器であること、
壜体の口筒の内周面下部と、中栓体の組付き筒の内方に垂下設され、口筒に略密に嵌入する嵌入筒の外周面下部との間に、中栓体の共回り防止用の係止部を設けること、
にある。
【０００７】
壜体の口筒外周に中栓体の組付き筒を組付けると、口筒の内周面下部と、中栓体の嵌入筒の外周面下部との間に設けた係止部が係止するので、外キャップ回転時における中栓体の共回りが防止され、常に外キャップは確実な螺脱回動動作をする。
【０００８】
また、係止部は、中栓体の嵌入筒下部と壜体の口筒下部とを、周方向に係止させるだけであるので、弱化線を破断して中栓体を壜体から分別する際に、この係止部が分別操作の邪魔となることがない。
【０００９】
請求項２記載の発明は、請求項１記載の発明に、共回り防止用の係止部を、口筒の内周面下部に突設された係止片と、嵌入筒の外周面下部に形成され、係止片が係止可能な係止溝と、から構成した、ことを加えたものである。
【００１０】
この請求項２記載の発明においては、係止部を構成する係止片と係止溝とが予め成形されているので、係止片と係止溝とを周方向に沿って位置合わせした状態で、通常の打栓処理するだけで、壜体の口筒に対する中栓体のアンダーカット結合と、係止片と係止溝との係止とが達成される。
【００１１】
請求項３記載の発明は、請求項１記載の発明に、共回り防止用の係止部を、嵌入筒の外周面に食込むべく、口筒の内周面下部に突設された複数の先鋭状の係止突片により構成した、ことを加えたものである。
【００１２】
この請求項３記載の発明においては、係止部を、壜体側の係止突片だけで構成し、また壜体の口筒に対する中栓体の打栓処理時に、壜体と中栓体とを、周方向に沿って位置合わせする必要がない。
【００１３】
【発明の実施の形態】
以下、本発明の実施例を、図面を参照しながら説明する。
図１〜図４は、本発明の第一実施例を示したもので、壜体１の上端に立設された口筒２の外周面には、アンダーカット結合用の係合溝３が略中央部に周設されていると共に、その下方にネックリング４が突周設されており、また口筒２の内周面下部から肩部の内面にかけて、共回り防止用の係止部５を構成する複数の縦リブ状の係止片６が、ローレット状に形成されている。
【００１４】
比較的軟質な合成樹脂で一体成形された中栓体１０は、係合溝３にアンダーカット結合する係合突条１２を内周面に周設した組付き筒１１の上端内方に、頂壁１３を介して、外周面に螺条１５を刻設した螺筒１４を連設し、さらにこの螺筒１４の上面内縁に、注出口を形成する注出筒１６を立設している。
【００１５】
この注出口の底面は、破断溝１８の内側部分を除去壁部１９とした口壁１７で閉塞されており、この除去壁部１９は、その上面に一体設されたプルリング２０を使用時に引き上げることにより、破断溝１８部分で破断されて除去される。
【００１６】
螺筒１４の下方には、壜体口筒２に略密嵌入する嵌入筒２１が垂下設されており、この嵌入筒２１の外周面下部に、壜体１の係止片６が係止可能な複数の係止溝２２が、ローレット状に形成されている。
【００１７】
中栓体１０の分別取外し機構２３は、図４に示すように、組付き筒１１の一部に、外面が蛇腹状の把手部２４を設け、この把手部２４の片側に縦孔２５を開設すると共に、その下端部を肉薄部２６で連結し、把手部２４の上端の頂壁１３部分に、縦孔２５に連続したスリット２７を開設すると共に、このスリット２７の基端から頂壁１３部分の略半周に亘って、肉薄溝状の弱化線２８を設けて構成されている。
【００１８】
分別取外し時には、把手部２４の先端を摘んで外方に引っ張ることにより、肉薄部２６を破断し、次いでそのまま把手部２４を後方へ引張って弱化線２８を後部まで破断すれば、中栓体１０を口筒２から容易に取外すことができる。
【００１９】
外キャップ３０は、その周壁３１の上部内周面に、中栓体１０の螺条１５に螺合する螺条が刻設されている。
【００２０】
図５は、本発明の第二実施例を示すもので、共回り防止用の係止部５を、嵌入筒２１の外周面に食込むように、ＰＥＴ等の硬質樹脂材料製の壜体１の口筒２の内周面に先鋭状に突設された複数の係止突片６ａだけで構成したものである。
【００２１】
【発明の効果】
本発明は、上記した構成となっているので、以下に示す効果を奏する。
請求項１記載の発明にあっては、壜体の口筒外周に中栓体の組付き筒を組付けると、口筒の内周面と、中栓体の嵌入筒の外周面との間に設けた係止部が係止するので、外キャップ回転時における中栓体の共回りが防止され、もって、弱化線等の分別取外し手段を設けた中栓体に対しても、常に確実な外キャップの螺脱動作を得ることができる。
【００２２】
係止部は、壜体と中栓体とを周方向に係止させるだけで、壜体に対する中栓体のアンダーカット結合には何ら関与しないので、中栓体の壜体からの分別に邪魔となることがなく、中栓体の良好な分別可能状態を維持する。
【００２３】
請求項２記載の発明にあっては、係止部の係止片と係止溝とは、周方向にだけ係止するので、打栓時に係止のための操作力が全く不要であり、このため壜体に対する中栓体の組付けを、通常の打栓力で達成することができる。
【００２４】
請求項３記載の発明にあっては、壜体側の係止突片だけで係止部を構成できるので、係止部をきわめて簡単に構成することができ、また打栓時に、壜体と中栓体との周方向の位置合わせが不要であるので、その操作が簡単となる。
【図面の簡単な説明】
【図１】本発明の第一実施例を示す、中栓体と壜体上部の縦断面図。
【図２】図１中、Ａ−Ａ線断面矢視図。
【図３】図１に示した実施例における、中栓体の正面図。
【図４】図１に示した実施例における、中栓体と外キャップの斜視図。
【図５】本発明の第二実施例を示す、壜体上部の斜視図。
【符号の説明】
１    ；  壜体
２    ；  口筒
３    ；  係合溝
４    ；  ネックリング
５    ；  係止部
６    ；  係止片
６ａ  ；  係止突片
１０  ；  中栓体
１１  ；  組付き筒
１２  ；  係合突条
１３  ；  頂壁
１４  ；  螺筒
１５  ；  螺条
１６  ；  注出筒
１７  ；  口壁
１８  ；  破断溝
１９  ；  除去壁部
２０  ；  プルリング
２１  ；  嵌入筒
２２  ；  係止溝
２３  ；  分別取外し機構
２４  ；  把手部
２５  ；  縦孔
２６  ；  肉薄部
２７  ；  スリット
２８  ；  弱化線
３０  ；  外キャップ
３１  ；  周壁
【図１】
0003896521.tif 000002
【図２】
0003896521.tif 000003
【図３】
0003896521.tif 000004
【図４】
0003896521.tif 000005
【図５】
0003896521.tif 000006